(57)【要約】【課題】認証操作を行うためのキーを装置本体に備える必要がなく、且つ認証操作にリモコンを用いる必要もないプロジェクタを提供する。【解決手段】レンズカバー４を開閉させるための操作ツマミ４ａは、筐体２の上面２ｔに形成されたスリット５から露出しており、スリット５に沿ってレンズカバー４を移動させることができる。筐体２の上面２ｔには、スリット５の長手方向に沿って、即ちレンズカバー４の移動方向に沿って、「０」〜「９」の数字が表記された目盛が付されている。ユーザは、レンズカバー４を動かして、操作ツマミ４ａに付されている指示マークを所望の数字（目盛）に合わせ、その位置に所定時間以上停止させる動作を複数回繰り返すことにより、複数桁の数字からなる暗証番号を入力することができる。そして、ユーザが必要な桁数の暗証番号を入力した後、レンズカバー４を開放させると、暗証番号の照合が行われる。【選択図】図１
2010117401.tif 000002
【特許請求の範囲】
【請求項１】
光源と、
前記光源から射出された光を変調して画像を形成する光変調装置と、
前記光変調装置で形成された前記画像を投写する投写光学系と、
前記投写光学系の射出側に備えられ、前記投写光学系を覆う閉位置及び前記投写光学系を露出させる開位置の間を移動可能なカバー部材と、
前記カバー部材の位置を検出する位置検出部と、
前記位置検出部の検出結果に基づいて、前記カバー部材が前記閉位置と前記開位置との間の複数の位置に所定の順序で移動したか否かを判定する判定部と、
前記判定部の判定結果に基づいて、前記画像の投写を許可又は禁止する制御部と、
を備えたことを特徴とするプロジェクタ。
【請求項２】
請求項１に記載のプロジェクタであって、
前記カバー部材の位置に応じて割り当てられた符号によって前記カバー部材の位置を視認させる符号表示部をさらに備えたことを特徴とするプロジェクタ。
【請求項３】
請求項２に記載のプロジェクタであって、
前記カバー部材には、所定の方向を指し示す指示マークが付されており、
前記符号表示部は、前記カバー部材の移動方向に沿って前記符号が複数表記され、前記指示マークが指し示す符号によって前記カバー部材の位置を視認させることを特徴とするプロジェクタ。
【請求項４】
請求項１〜３のいずれか１項に記載のプロジェクタであって、
前記光源の点灯及び消灯を制御する光源制御部をさらに備え、
前記光源制御部は、前記カバー部材が前記複数の位置に前記所定の順序で移動し、さらに前記開位置に移動した後で、前記光源を点灯させることを特徴とするプロジェクタ。
【請求項５】
請求項１〜４のいずれか１項に記載のプロジェクタであって、
前記カバー部材には、複数の識別マークが前記移動方向に沿って形成されており、
前記位置検出部は、前記カバー部材とともに移動する前記識別マークに基づいて、前記カバー部材の位置を検出することを特徴とするプロジェクタ。
【発明の詳細な説明】
【技術分野】
【０００１】
本発明は、光源から射出された光を変調して投写するプロジェクタに関する。
【背景技術】
【０００２】
画像を投写するプロジェクタにおいて、第三者による不正使用を防止するために、所定の認証操作（例えば、暗証番号の入力操作等）が行われた場合にのみ使用可能となるプロジェクタ（投射装置）が提案されている（例えば、特許文献１参照）。このようなプロジェクタでは、暗証番号を入力するための数字キー（テンキー）等、認証操作を行うための操作キー（操作スイッチ）を装置本体又はリモコンに備える必要がある。
【０００３】
【特許文献１】特開２００５−３３８６０４号公報
【発明の開示】
【発明が解決しようとする課題】
【０００４】
しかしながら、認証操作用に多数の操作キーを装置本体に備えることは、装置本体の美観を損ねてしまうという問題を有している。また、少数の操作キーで認証操作を行う構成にした場合でも、一回の認証操作に必要となる操作の回数が増えてしまい、利便性が低下してしまう。一方、認証操作用の操作キーをリモコンにのみ備える場合には、リモコンが故障したり紛失したりした際にプロジェクタが使用できなくなってしまううえ、様々な場所に持ち運んで使用することを想定したプロジェクタにあっては、常にリモコンも携行しなければならなくなるため、利便性が損なわれてしまうという問題も有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、光源と、前記光源から射出された光を変調して画像を形成する光変調装置と、前記光変調装置で形成された前記画像を投写する投写光学系と、前記投写光学系の射出側に備えられ、前記投写光学系を覆う閉位置及び前記投写光学系を露出させる開位置の間を移動可能なカバー部材と、前記カバー部材の位置を検出する位置検出部と、前記位置検出部の検出結果に基づいて、前記カバー部材が前記閉位置と前記開位置との間の複数の位置に所定の順序で移動したか否かを判定する判定部と、前記判定部の判定結果に基づいて、前記画像の投写を許可又は禁止する制御部と、を備えたことを特徴とする。
【０００７】
このプロジェクタによれば、カバー部材が複数の位置に所定の順序で移動したか否かに基づいて、画像の投写が許可又は禁止されるため、ユーザは、プロジェクタの使用許可を得るための認証操作として、カバー部材を所定の手順で動かす操作を行えば済むようになる。このため、認証操作を行うための操作キー（操作スイッチ）をプロジェクタに備える必要がなくなるとともに、認証操作にリモコンを用いる必要もなくなるため、利便性が向上する。
【０００８】
［適用例２］上記適用例に係るプロジェクタにおいて、前記カバー部材の位置に応じて割り当てられた符号によって前記カバー部材の位置を視認させる符号表示部をさらに備えることが望ましい。
【０００９】
このプロジェクタによれば、カバー部材の位置に応じて符号が割り当てられているため、ユーザは、カバー部材が移動すべき複数の位置を、符号の列として覚えることが可能になる。また、この符号によってカバー部材の位置が視認できることから、カバー部材を移動させる際に、表記されている符号を参照しながら移動させることが可能となり、利便性が向上する。例えば、閉位置と開位置との間に、符号として０〜９の数字を割り当てれば、移動すべき位置と順序とを複数桁の数字（暗証番号）で表すことが可能となる。
【００１０】
［適用例３］上記適用例に係るプロジェクタにおいて、前記カバー部材には、所定の方向を指し示す指示マークが付されており、前記符号表示部は、前記カバー部材の移動方向に沿って前記符号が複数表記され、前記指示マークが指し示す符号によって前記カバー部材の位置を視認させるようにしてもよい。
【００１１】
［適用例４］上記適用例に係るプロジェクタにおいて、前記光源の点灯及び消灯を制御する光源制御部をさらに備え、前記光源制御部は、前記カバー部材が前記複数の位置に前記所定の順序で移動し、さらに前記開位置に移動した後で、前記光源を点灯させることが望ましい。
【００１２】
このプロジェクタによれば、カバー部材が開位置に移動した後で光源を点灯させるため、カバー部材に光源からの光が照射されるのを抑制することができる。この結果、光の照射に伴うカバー部材の熱的なダメージを抑制することが可能となる。
【００１３】
［適用例５］上記適用例に係るプロジェクタにおいて、前記カバー部材には、複数の識別マークが前記移動方向に沿って形成されており、前記位置検出部は、前記カバー部材とともに移動する前記識別マークに基づいて、前記カバー部材の位置を検出することが望ましい。
【発明を実施するための最良の形態】
【００１４】
以下、スクリーン等に画像光を拡大投写するプロジェクタについて、図面を参照して説明する。本実施形態のプロジェクタは、暗証番号の入力によって第三者の不正使用を防止するユーザ認証機能を備えている。
【００１５】
図１は、本実施形態のプロジェクタの斜視図である。
図１に示すように、プロジェクタ１は、装置本体が筐体２によって覆われた構成になっている。筐体２の上面２ｔには、ユーザにより入力操作が行われる複数の操作キーを備えた操作パネル２２が設けられ、操作パネル２２の近傍には、プロジェクタ１の動作状態を報知するためのＬＥＤ表示部３０が備えられている。
【００１６】
筐体２の前面２ｆには、開口部３が形成されており、開口部３の後方には、前方に向かって画像光を投写する投写レンズ１３が備えられている。開口部３には、カバー部材としてのレンズカバー４が開閉可能に備えられており、開口部３をレンズカバー４で閉塞することによって、投写レンズ１３を保護することが可能になっている。レンズカバー４は、合成樹脂製で略矩形の板状体であり、その１つの角部には、開閉操作を行うための操作ツマミ４ａが一体的に形成されている（図３参照）。操作ツマミ４ａは、筐体２の上面２ｔに形成されたスリット５から露出しており、そのスリット５に沿って操作ツマミ４ａを左右にスライド操作することによって、レンズカバー４の開閉を行うことができる。また、操作ツマミ４ａは、筐体２の上面２ｔよりも上方に突出するようになっており、スライド操作を容易にしている。
【００１７】
図２は、プロジェクタ１の平面図であり、スリット５の周辺の部位を部分的に示している。また、図３（ａ）〜（ｃ）は、プロジェクタ１の正面図であり、レンズカバー４の開閉状態を示している。
図２に示すように、スリット５は、筐体２の前面２ｆと略平行に形成されており、レンズカバー４は、操作ツマミ４ａがスリット５の左端部（前方に向かって左側の端部）５ａに当接する位置と、操作ツマミ４ａがスリット５の右端部（前方に向かって右側の端部）５ｂに当接する位置との間を移動可能になっている。
【００１８】
操作ツマミ４ａをスライド操作して、スリット５の左端部５ａに当接させると、レンズカバー４は、図３（ａ）に示すように開口部３を閉塞し、投写レンズ１３を覆ってその射出面を保護する。また、操作ツマミ４ａをスライド操作して、スリット５の右端部５ｂに当接させると、レンズカバー４は、図３（ｃ）に示すように、投写レンズ１３の前方（射出方向）から退避し、開口部３を開放させる。この結果、開口部３から投写レンズ１３が露出し、画像光の投写が可能な状態となる。なお、これ以降、操作ツマミ４ａをスリット５の左端部５ａに当接させたときのレンズカバー４の位置を「閉位置」と呼び、操作ツマミ４ａをスリット５の右端部５ｂに当接させたときのレンズカバー４の位置を「開位置」と呼ぶ。
【００１９】
また、図２に示すように、筐体２の上面２ｔのスリット５に近接する部位には、スリット５の長手方向に沿って、即ちレンズカバー４の移動方向に沿って、１２個の目盛が付されており、このうち、最も左端部５ａ寄りの目盛には、「閉」の文字が表記され、最も右端部５ｂ寄りの目盛には、「開」の文字が表記されている。また、操作ツマミ４ａの上面には、目盛が付されている側を指し示す三角形状の指示マークＭｉが付されている。そして、操作ツマミ４ａを左端部５ａに当接させたとき、即ちレンズカバー４の位置が閉位置であるときに、指示マークＭｉは「閉」の目盛を指し示し、操作ツマミ４ａを右端部５ｂに当接させたとき、即ちレンズカバー４の位置が開位置であるときに、指示マークＭｉは、「開」の目盛を指し示す。
【００２０】
「閉」と「開」との間の１０個の目盛は、等間隔に配置されており、目盛には、左端部５ａ側から順に「０」〜「９」の数字が表記されている。そして、レンズカバー４を閉位置と開位置との間で移動させて、その位置を変化させることにより、指示マークＭｉが指し示す目盛（数字）を任意に切り替えることができる。つまり、「０」〜「９」の数字は、レンズカバー４の位置に応じて割り当てられたものであり、指示マークＭｉが指し示す数字によって、レンズカバー４の位置を視認することができる。なお、これ以降、指示マークＭｉが「０」〜「９」のいずれかの目盛を指し示すときのレンズカバー４の位置を「数字位置」とも呼ぶ。また、例えば、指示マークＭｉが「５」の目盛を指し示すとき（図２及び図３（ｂ）参照）のレンズカバー４の位置を、「「５」の位置」とも呼ぶ。
【００２１】
図４は、プロジェクタ１の概略構成を示すブロック図である。
図４に示すように、プロジェクタ１は、画像投写部１０、制御部２０、記憶部２１、操作パネル２２、リモコン２３、操作信号受信部２４、入力端子群２５、入力ソース選択部２６、画像処理部２７、電源回路２８、光源制御部２９、ＬＥＤ表示部３０、カバー検出部３１等で構成されている。
【００２２】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２５】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクタ１の動作を統括制御する。つまり、制御部２０は、記憶部２１とともにコンピュータとして機能する。また、制御部２０には、時間の計測を行うためのタイマ２０ａが備えられている。
【００２６】
記憶部２１は、フラッシュメモリやＦｅＲＡＭ（Ferroelectric RAM：強誘電体メモリ）等の書き換え可能な不揮発性のメモリにより構成されている。記憶部２１には、プロジェクタ１の動作を制御するための制御プログラムや、プロジェクタ１の動作条件等を規定する各種設定データ等が記憶されている。本実施形態では、設定データとして、ユーザ認証機能が有効か無効かを示すフラグ（認証フラグ）とともに、ユーザ認証機能が有効の場合に参照される暗証番号が記憶されている。なお、認証フラグ及び暗証番号は、ユーザによって適宜設定（変更）することが可能になっており、その設定結果は、記憶部２１に反映される。
【００２７】
操作パネル２２及びリモコン２３は、プロジェクタ１に対して各種指示を行うための入力操作部に相当するものであり、ユーザからの入力操作を受け付ける複数の操作キーを備えている。操作パネル２２及びリモコン２３が備える操作キーとしては、電源のオン・オフを交互に切り替えるための「電源キー」、入力ソースを切り替えるための「入力ソース切替キー」、各種設定を行うための設定メニューを重畳表示させる「メニューキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２８】
入力端子群２５は、ビデオ再生装置やパーソナルコンピュータ等、図示しない外部の画像出力装置から、各種形式の画像情報を入力可能な複数の入力端子２５ａを備えている。各入力端子２５ａに入力された画像情報は、入力ソース選択部２６に供給される。
【００２９】
入力ソース選択部２６は、複数の入力端子２５ａのうち、制御部２０の指示に基づく１つの入力端子２５ａを選択し、この入力端子２５ａに入力される画像情報を画像処理部２７に出力する。ユーザが、操作パネル２２或いはリモコン２３に備わる入力ソース切替キーを操作して所望の入力端子２５ａを指定すると、制御部２０は、この入力端子２５ａに入力されている画像情報が画像処理部２７に出力されるよう、入力ソース選択部２６に指示をする。
【００３０】
画像処理部２７は、入力ソース選択部２６から入力される各種形式の画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。さらに、画像処理部２７は、制御部２０の指示に基づいて、変換した画像情報に対して、明るさ、コントラスト、シャープネス、色合い等を調整するための画質調整処理や、投写する画像上に設定メニュー等を重畳表示させるためのＯＳＤ（オンスクリーンディスプレイ）処理等を行い、処理後の画像情報をライトバルブ駆動部１４に出力する。
【００３１】
ライトバルブ駆動部１４が、画像処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００３２】
電源回路２８には、外部からＡＣ１００Ｖ等の商用電源が供給される。電源回路２８は、商用電源（交流電源）を所定の電圧の直流電源に変換するとともに、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り替えることができる。
【００３３】
光源制御部２９は、制御部２０の指示に基づいて、光源１１に対する電力の供給と停止とを制御し、光源１１の点灯及び消灯を切り替える。
【００３４】
ＬＥＤ表示部３０は、ＬＥＤ（発光ダイオード）を備えたインジケータであり、制御部２０の指示に基づいてその表示状態を切り替えることにより、ユーザにプロジェクタ１の動作状態（オン状態やスタンバイ状態、異常発生等）を報知する。なお、ＬＥＤ表示部３０は、その表示状態、即ち点灯、点滅、消灯、発光色等を適宜切り替えることによって、多数の動作状態を表すことが可能になっている。
【００３５】
カバー検出部３１は、レンズカバー４の位置を検出する位置検出部に相当するものであり、それぞれが発光素子と受光素子とを有する４つのフォトセンサ（反射型フォトインタラプタ）３１ａを備えている。カバー検出部３１は、このフォトセンサ３１ａによってレンズカバー４の位置を検出し、その検出結果を制御部２０に出力する。
【００３６】
図５は、レンズカバー４を背面（投写レンズ１３と対向する面）側から見た斜視図であり、図６は、筐体２の内部を部分的に示す平面図である。図６において、（ａ）は、レンズカバー４が閉位置にある状態、（ｂ）は、レンズカバー４が「５」の位置にある状態、（ｃ）は、レンズカバー４が開位置にある状態を示している。なお、図５では、筐体２や投写レンズ１３の図示を省略している。
【００３７】
図５及び図６（ａ）〜（ｃ）に示すように、４つのフォトセンサ３１ａは、投写レンズ１３の右側（前方に向かって右側）、即ちレンズカバー４が開く側に上下に並んで配設されており、各フォトセンサ３１ａの発光素子は、前方に備わるレンズカバー４に向けて光を照射する。
【００３８】
レンズカバー４の裏面４ｒには、左右方向に離間して配列された１２個の識別マークＭｃｌ，Ｍｏｐ，Ｍ０〜Ｍ９が形成されている。１２個の識別マークＭｃｌ，Ｍｏｐ，Ｍ０〜Ｍ９のうち、最も右側の識別マークＭｃｌは、レンズカバー４が閉位置にあるときにフォトセンサ３１ａに対向し、最も左側の識別マークＭｏｐは、レンズカバー４が開位置にあるときにフォトセンサ３１ａに対向する。また、識別マークＭ０〜Ｍ９は、それぞれレンズカバー４が「０」〜「９」の位置にあるときにフォトセンサ３１ａに対向する。
【００３９】
各識別マークＭｃｌ，Ｍｏｐ，Ｍ０〜Ｍ９には、上下方向に沿って、４つのフォトセンサ３１ａに対応する４つの部位が含まれており、その部位毎に光反射率の高い明部（高反射部）及び光反射率の低い暗部（低反射部）のいずれかに設定されている。そして、この明暗の配列（パターン）は、識別マークＭｃｌ，Ｍｏｐ，Ｍ０〜Ｍ９毎に異なっている。このため、カバー検出部３１は、各フォトセンサ３１ａの受光素子が反射光を受光したか否かによって、レンズカバー４の位置、即ち指示マークＭｉが指し示す数字を検出（特定）することができる。また、本実施形態では、すべての識別マークＭｃｌ，Ｍｏｐ，Ｍ０〜Ｍ９がいずれかの部位に暗部を備える一方、識別マークＭｃｌ，Ｍｏｐ，Ｍ０〜Ｍ９同士の間の領域は、４つのフォトセンサ３１ａに対応するすべての部位が明部に設定されている。このため、レンズカバー４の位置が閉位置、開位置、及び「０」〜「９」の位置からずれている場合には、４つのフォトセンサ３１ａのすべてに明部が対向する。つまり、カバー検出部３１は、レンズカバー４の位置が、閉位置、開位置、「０」〜「９」の位置のいずれであるのかを検出できるとともに、これらの位置からずれた位置（以降、「ずれ位置」とも呼ぶ。）にあることをも検出することができる。
【００４０】
次に、本実施形態のプロジェクタ１の動作について説明する。
プロジェクタ１に商用電源が供給されると、電源回路２８は、制御部２０、記憶部２１、操作パネル２２、操作信号受信部２４、ＬＥＤ表示部３０、カバー検出部３１に電力（スタンバイ電力）の供給を行い、制御部２０は、この電力供給を受けて、制御プログラムに従った動作を開始する。商用電源が供給された直後には、プロジェクタ１は、スタンバイ状態（「電源オフの状態」とも呼ぶ。）であり、この状態では、制御部２０は、ＬＥＤ表示部３０を所定の色（本実施形態では、オレンジ色）で点灯させるとともに、操作パネル２２やリモコン２３の電源キーに対する操作を監視する。この状態でユーザが電源キーを操作すると、プロジェクタ１の各部に動作電力が供給され、画像光の投写が可能な状態（「電源オンの状態」とも呼ぶ。）に移行する。ただし、ユーザ認証機能が有効の場合には、プロジェクタ１は、レンズカバー４によってユーザに暗証番号を入力させ、入力された暗証暗号が、記憶部２１に記憶されている暗証番号に一致した場合にのみ電源オンの状態に移行するようになっている。
【００４１】
図７は、スタンバイ状態において電源キーが操作された場合のプロジェクタ１の動作を説明するフローチャートである。スタンバイ状態において電源キーの操作がなされると、制御部２０は、図７に示すフローに従って動作する。
【００４２】
図７に示すように、ステップＳ１０１では、制御部２０は、記憶部２１に記憶されている認証フラグを参照して、ユーザ認証機能が有効か否かを判断する。そして、ユーザ認証機能が無効の場合にはステップＳ１０２に移行し、ユーザ認証機能が有効の場合にはステップＳ１０３に移行する。
【００４３】
ユーザ認証機能が無効であってステップＳ１０２に移行した場合には、制御部２０は、ユーザ認証を行うことなく、プロジェクタ１を電源オンの状態に移行させる。具体的には、制御部２０は、電源回路２８に指示をして動作電力の供給を開始させた後、光源制御部２９に指示をして光源１１を点灯させる。そして、制御部２０は、ＬＥＤ表示部３０を緑色で点灯させてプロジェクタ１が電源オンの状態に移行した旨を報知するとともに、他の必要な初期動作を行って処理を終了する。この結果、入力端子群２５に入力される画像情報に応じた画像が画像投写部１０から投写される。
【００４４】
一方、ユーザ認証機能が有効であってステップＳ１０３に移行した場合には、制御部２０は、カバー検出部３１に指示をして、レンズカバー４の位置を検出させる。そして、ステップＳ１０４では、制御部２０は、カバー検出部３１の検出結果に基づいて、レンズカバー４の位置が数字位置（「０」〜「９」の位置のいずれか）であるか否かを判断する。そして、レンズカバー４の位置が数字位置である場合にはステップＳ１０５に移行し、数字位置でない場合、即ち、閉位置、開位置、及びずれ位置のいずれかである場合にはステップＳ１１０に移行する。
【００４５】
検出したレンズカバー４の位置が数字位置であってステップＳ１０５に移行した場合には、制御部２０は、この数字位置に位置してからの経過時間を計測すべく、タイマ２０ａによる計時を開始する。
【００４６】
続くステップＳ１０６では、制御部２０は、カバー検出部３１に指示をして、再度レンズカバー４の位置を検出させる。そして、ステップＳ１０７では、制御部２０は、カバー検出部３１の検出結果に基づいて、レンズカバー４の位置が、ステップＳ１０３で検出された位置（数字位置）と同じ位置であるか否かを判断する。そして、レンズカバー４の位置が同じ数字位置である場合にはステップＳ１０６に戻り、同じ数字位置でない場合、即ち、レンズカバー４が動かされて異なる位置にある場合には、ステップＳ１０８に移行する。
【００４７】
レンズカバー４が動かされてステップＳ１０８に移行した場合には、制御部２０は、タイマ２０ａの計時結果に基づいて、ステップＳ１０５で計時を開始してから所定時間（例えば、０．５秒）が経過しているか否かを判断する。つまり、制御部２０は、レンズカバー４が１つの数字位置に停止していた時間（停止時間）が所定時間以上であるか否かを判断する。そして、所定時間が経過している場合、即ち数字位置での停止時間が所定時間以上である場合にはステップＳ１０９に移行し、所定時間に達していない場合にはステップＳ１０３に戻る。
【００４８】
レンズカバー４が１つの数字位置に所定時間以上停止していてステップＳ１０９に移行した場合には、制御部２０は、停止していた位置に対応する数字、即ち指示マークＭｉが指し示す目盛の数字を自らのＲＡＭに記憶（保存）してステップＳ１０３に戻る。
【００４９】
このように、ユーザがレンズカバー４を動かして所望の数字位置で所定時間以上停止させておくことにより、対応する数字がＲＡＭに保存される。そして、ユーザがこの動作を複数回繰り返すと、ＲＡＭには、複数桁の数字からなる数字列が保存される。つまり、ユーザは、レンズカバー４を動かして指示マークＭｉを所望の目盛に合わせ、その位置に所定時間以上停止させる動作を複数回繰り返すことにより、複数桁の数字からなる暗証番号を入力することができる。そして、ユーザが必要な桁数の暗証番号を入力した後、レンズカバー４を開位置まで動かすと、暗証番号の照合が行われる。
【００５０】
ステップＳ１０４において、検出されたレンズカバー４の位置が数字位置ではなく、ステップＳ１１０に移行した場合には、制御部２０は、カバー検出部３１の検出結果に基づいて、レンズカバー４の位置が開位置であるか否かを判断する。そして、レンズカバー４の位置が開位置である場合にはステップＳ１１１に移行し、開位置ではない場合にはステップＳ１０３に戻る。
【００５１】
検出したレンズカバー４の位置が開位置であってステップＳ１１１に移行した場合には、制御部２０は、開位置に位置してからの経過時間を計測すべく、タイマ２０ａによる計時を開始する。
【００５２】
続くステップＳ１１２では、制御部２０は、カバー検出部３１に指示をして、再度レンズカバー４の位置を検出させる。そして、ステップＳ１１３では、制御部２０は、カバー検出部３１の検出結果に基づいて、レンズカバー４の位置が開位置のままであるか否かを判断する。そして、レンズカバー４の位置が開位置のままである場合にはステップＳ１１４に移行し、開位置でない場合、即ち、レンズカバー４が動かされて異なる位置にある場合には、ステップＳ１０３に戻る。
【００５３】
レンズカバー４の位置が開位置のままであってステップＳ１１４に移行した場合には、制御部２０は、タイマ２０ａの計時結果に基づいて、ステップＳ１１１で計時を開始してから、即ちレンズカバー４が開位置に位置してから所定時間（例えば、０．５秒）が経過したか否かを判断する。そして、所定時間が経過した場合にはステップＳ１１５に移行し、所定時間に達していない場合にはステップＳ１１２に戻る。
【００５４】
レンズカバー４が開位置に位置してから所定時間が経過してステップＳ１１５に移行した場合には、制御部２０は、ＲＡＭに記憶されている数字列、即ちユーザによって入力された暗証番号と、記憶部２１に記憶されている暗証番号とを照合する。
【００５５】
ステップＳ１１６では、制御部２０は、照合した２つの暗証番号が一致したか否か、即ちレンズカバー４が、記憶部２１に記憶されている暗証番号に含まれる数字の位置（数字位置）に、暗証番号の順序通りに移動したか否かを判定する。そして、２つの暗証番号が一致した場合には、ユーザ認証が成立し、制御部２０は、ステップＳ１０２に移行して、プロジェクタ１を電源オンの状態とし、光源１１を点灯させて、画像の投写を開始させる。つまり、暗証番号が一致してユーザ認証が成立した場合には、制御部２０は、プロジェクタ１の使用（画像の投写）を許可する。一方、２つの暗証番号が一致しない場合には、ユーザ認証は不成立となり、ステップＳ１１７に移行する。
【００５６】
ユーザ認証が不成立となってステップＳ１１７に移行した場合には、制御部２０は、ＬＥＤ表示部３０を赤色で所定時間点滅させて、ユーザ認証が不成立となった旨を報知する。その後、制御部２０は、ＬＥＤ表示部３０をオレンジ色で点灯する状態に戻すとともに、ＲＡＭに保存されている数字列（暗証番号）を消去した後、スタンバイ状態のまま処理を終了する。つまり、暗証番号が一致せずにユーザ認証が不成立となった場合には、制御部２０は、プロジェクタ１の使用（画像の投写）を禁止して、電源オンの状態に移行させずに処理を終了する。
【００５７】
本実施形態のプロジェクタ１は、上記のように動作するため、例えば、記憶部２１に記憶されている暗証番号が「５８２４」である場合には、ユーザは、電源キーを操作した後に、まず、レンズカバー４を「５」の位置に移動させて所定時間以上停止させる。その後、「８」の位置、「２」の位置、「４」の位置の順に移動と停止とを行った後で、レンズカバー４を開位置に移動させれば、認証が成立してプロジェクタ１の電源がオン状態となる。つまり、ユーザは、電源キーの操作の後で、レンズカバー４を「５」の位置、「８」の位置、「２」の位置、「４」の位置に順に（暗証番号と同じ順序で）移動させることにより、プロジェクタ１を使用することが可能となる。なお、暗証番号の一部に、同一の数字が連続する箇所がある場合には、この数字に対応する数字位置にレンズカバー４を移動させて停止させた後、他の数字位置で所定時間以上停止させないようにレンズカバー４を動かし、その後で再びこの数字位置にレンズカバー４を移動させて停止させればよい。また、同一の数字が連続する箇所を有する暗証番号を設定できないようにしてもよい。
【００５８】
以上説明したように、本実施形態のプロジェクタ１によれば、以下の効果を得ることができる。
【００５９】
（１）本実施形態のプロジェクタ１によれば、レンズカバー４のスライド操作によって入力された暗証番号に基づいて、プロジェクタ１の使用（画像の投写）が許可又は禁止されるため、ユーザは、プロジェクタの使用許可を得るための認証操作として、レンズカバー４を動かす操作を行えば済むようになる。このため、認証操作（暗証番号の入力操作等）を行うための操作キー（操作スイッチ）をプロジェクタ１に備える必要がなくなるとともに、認証操作にリモコン２３を用いる必要もなくなるため、利便性が向上する。
【００６０】
（２）本実施形態のプロジェクタ１によれば、レンズカバー４の位置に応じて「０」〜「９」の数字が割り当てられているため、ユーザは、プロジェクタの使用許可を得るために動かすべきレンズカバー４の位置と順序とを、数字の列（暗証番号）として覚えることが可能になる。また、筐体２の上面２ｔに表記されている「０」〜「９」の数字によってレンズカバー４の位置が視認できることから、レンズカバー４を移動させる際に、表記されている数字を参照しながら移動させることが可能となり、利便性が向上する。
【００６１】
（３）本実施形態のプロジェクタ１によれば、レンズカバー４が開位置に移動した後で光源１１を点灯させるため、レンズカバー４に光源１１からの光が照射されるのを抑制することができる。この結果、光の照射に伴うレンズカバー４の熱的なダメージを抑制することが可能となる。
【００６２】
なお、本実施形態では、ステップＳ１１５，Ｓ１１６を実行する際の制御部２０が判定部に相当する。また、筐体２の上面２ｔにスリット５に沿って表記されている数字が符号に相当し、この数字が表記されている筐体２の一部（スリット５に近接する部位）と数字を指し示す指示マークＭｉとが符号表示部に相当する。
【００６３】
（変形例）
また、前記実施形態は、以下のように変更してもよい。
【００６４】
上記実施形態では、識別マークＭｃｌ，Ｍｏｐ，Ｍ０〜Ｍ９を離間させて配列して、それぞれの間の領域を明部に設定することにより、レンズカバー４がずれ位置にあることをも検出できるようにしているが、必ずしもずれ位置を検出できるようにする必要はない。このため、個々の識別マークＭｃｌ，Ｍｏｐ，Ｍ０〜Ｍ９を密着させ、１つの大きな識別マークＭａとして配置することもできる（図８参照）。
【００６５】
上記実施形態において、レンズカバー４が閉位置、開位置、及び数字位置のいずれかにある場合、即ちレンズカバー４がずれ位置以外に位置している場合に、レンズカバー４の位置を安定させることが望ましい。例えば、図９に示す例では、レンズカバー４の下面に、閉位置、開位置、及び１０個の数字位置にそれぞれ対応するＶ字状の凹部４ｖが左右方向に並んで形成されている。そして、凹部４ｖと係合可能な凸部６ａを有するバネ部材６が、凸部６ａをレンズカバー４に向けて付勢している。このような構成にすれば、レンズカバー４は、凸部６ａと凹部４ｖとが係合する位置、即ち閉位置、開位置、及び数字位置のいずれかに位置している場合に安定し、ずれ位置には位置しにくくなるため、暗証番号を入力する際の利便性が向上する。
【００６６】
上記実施形態では、「０」〜「９」の位置を特定するために、明暗のパターンが個別に設定された識別マークＭ０〜Ｍ９を用いているが、「０」〜「９」の位置を特定する方法は、これに限定されない。例えば、図１０に示すように、レンズカバー４の裏面４ｒに、左右方向に明部と暗部とを所定のピッチで交互に配列させたリニアスケールＭｓを形成するとともに、レンズカバー４の移動に伴って２つのフォトセンサ３１ａが検出する明暗の変化に基づいて、レンズカバー４の相対的な移動量を検知する構成にすることも可能である。ここで、レンズカバー４の移動方向を検知できるよう、２つのフォトセンサ３１ａは、左右方向に１／４ピッチだけずらして配置されている。このような構成において、暗証番号の入力に先立ち、ユーザがレンズカバー４を所定の基準位置（例えば、閉位置）に移動させるようにすれば、基準位置からの相対的な移動量に基づいてレンズカバー４の位置を特定することが可能となる。なお、電源キーの操作（電源オンにするための操作）がなされた際に、レンズカバー４を基準位置に移動させるアクチュエータ（例えば、ソレノイド）を別途備えるようにしてもよい。
【００６７】
上記実施形態において、レンズカバー４の位置を検出するための構成は、反射型のフォトセンサ３１ａを用いた構成に限定されない。例えば、透過型のフォトセンサや磁気センサによってレンズカバー４の位置を検出するようにしてもよいし、ポテンショメータを用いた構成等、様々な構成の位置検出手段を採用することが可能である。
【００６８】
上記実施形態では、スリット５の長手方向に沿って１２個の目盛が付され、閉位置と開位置とを除く１０ヶ所に「０」〜「９」の数字が割り当てられているが、閉位置と開位置に数字を割り当てるようにしてもよい。また、数字を割り当てる位置は１０ヶ所に限られず、それ以下でもそれ以上であってもよい。さらに、数字の代わりに他の符号（文字や記号等）を割り当てて、パスワードによるユーザ認証を行うようにしてもよい。なお、本実施形態のように、スリット５の近傍に数字等の符号が付されていれば、必ずしも目盛を付す必要はない。一方、目盛が付されていて、且つ目盛の数が比較的少なければ、数字等の符号を付さない構成にすることもできる。
【００６９】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００７０】
上記実施形態では、光源１１は、放電型の光源ランプ１１ａによって構成されているが、ＬＥＤ光源等の固体光源や、その他の光源を用いることもできる。
【図面の簡単な説明】
【００７１】
【図１】プロジェクタの斜視図。
【図２】プロジェクタの平面図。
【図３】（ａ）〜（ｃ）は、プロジェクタの正面図。
【図４】プロジェクタの概略構成を示すブロック図。
【図５】レンズカバーを背面側から見た斜視図。
【図６】筐体の内部を部分的に示す平面図。
【図７】スタンバイ状態において電源キーが操作された場合のプロジェクタの動作を説明するフローチャート。
【図８】変形例に係るレンズカバーの背面図。
【図９】変形例に係るレンズカバーの背面図。
【図１０】変形例に係るレンズカバーを背面側から見た斜視図。
【符号の説明】
【００７２】
１…プロジェクタ、２…筐体、３…開口部、４…レンズカバー、４ａ…操作ツマミ、５…スリット、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…入力端子群、２５ａ…入力端子、２６…入力ソース選択部、２７…画像処理部、２８…電源回路、２９…光源制御部、３０…ＬＥＤ表示部、３１…カバー検出部、３１ａ…フォトセンサ、Ｍｃｌ，Ｍｏｐ，Ｍ０〜Ｍ９…識別マーク、Ｍｉ…指示マーク、ＳＣ…スクリーン。
【図１】
2010117401.tif 000003
【図２】
2010117401.tif 000004
【図３】
2010117401.tif 000005
【図４】
2010117401.tif 000006
【図５】
2010117401.tif 000007
【図６】
2010117401.tif 000008
【図７】
2010117401.tif 000009
【図８】
2010117401.tif 000010
【図９】
2010117401.tif 000011
【図１０】
2010117401.tif 000012